(57)【要約】【課題】  適切な利用を行いたい利用者の駐車場の利用を可能とし、その利用者への負担を最小限にすることが可能な駐車場管理システムを提供する。【解決手段】  駐車場管理システムは、利用者向けの駐車場がある建物に基地局を配設している。駐車場管理システムは、管理装置（管理装置１）に、利用者の所持する携帯通信端末が基地局の基地局エリア内かどうかを判定する判定手段（基地局エリア判定部１１１）と、判定手段による基地局エリア内に位置していると判定された時間に応じて駐車場の利用料金を算出する算出手段（駐車場料金算出部１１２）とを含んでいる。【選択図】      図１
2013246809.tif 000002
【特許請求の範囲】
【請求項１】
利用者向けの駐車場がある建物に配設された基地局と、
利用者の所持する携帯通信端末が前記基地局の基地局エリア内かどうかを判定する判定手段と、前記判定手段による前記基地局エリア内に位置していると判定された時間に応じて前記駐車場の利用料金を算出する算出手段とを含む管理装置とを有することを特徴とする駐車場管理システム。
【請求項２】
前記判定手段による前記基地局エリア内に位置していると判定された時間の累積加算結果を記憶するメモリを含み、
前記算出手段は、前記メモリに記憶された前記累積加算結果を考慮した上で前記駐車場の利用料金を算出することを特徴とする請求項１記載の駐車場管理システム。
【請求項３】
利用者向けの駐車場がある建物に基地局を配設して当該建物内を基地局エリア内とし、
利用者の所持する携帯通信端末が前記基地局エリア内かどうかを判定する判定手段と、前記判定手段による前記基地局エリア内に位置していると判定された時間に応じて前記駐車場の利用料金を算出する算出手段とを有することを特徴とする管理装置。
【請求項４】
前記判定手段による前記基地局エリア内に位置していると判定された時間の累積加算結果を記憶するメモリを含み、
前記算出手段は、前記メモリに記憶された前記累積加算結果を考慮した上で前記駐車場の利用料金を算出することを特徴とする請求項３記載の管理装置。
【請求項５】
利用者向けの駐車場がある建物に基地局を配設して当該建物内を基地局エリア内とし、
管理装置が、利用者の所持する携帯通信端末が前記基地局エリア内かどうかを判定する判定処理と、前記判定処理による前記基地局エリア内に位置していると判定された時間に応じて前記駐車場の利用料金を算出する算出処理とを実行することを特徴とするサービス方法。
【請求項６】
前記管理装置に、前記判定処理による前記基地局エリア内に位置していると判定された時間の累積加算結果を記憶するメモリを設け、
前記算出処理において、前記メモリに記憶された前記累積加算結果を考慮した上で前記駐車場の利用料金を算出することを特徴とする請求項５記載のサービス方法。
【請求項７】
管理装置内の中央処理装置に実行させるプログラムであって、
利用者向けの駐車場がある建物に基地局を配設して当該建物内を基地局エリア内とし、
利用者の所持する携帯通信端末が前記基地局エリア内かどうかを判定する判定処理と、前記判定処理による前記基地局エリア内に位置していると判定された時間に応じて前記駐車場の利用料金を算出する算出処理とを含むことを特徴とするプログラム。
【発明の詳細な説明】
【技術分野】
【０００１】
本発明は駐車場管理システム、管理装置及びそれらに用いるサービス方法並びにそのプログラムに関し、特に駐車場を利用する利用者に対する駐車場料金のサービス方法に関する。
【背景技術】
【０００２】
上述した駐車場料金のサービス方法としては、買い物金額により利用料金を割り引く方法であったり、一定時間内の利用に関して割り引く方法が一般的であり、駐車場に対して必ずしも適切な利用が行われているかの判断ができない状態である。
【０００３】
例えば、下記の特許文献１では、携帯通信端末にてプログラムを起動させ、建物内に利用者が位置している期間に応じ、利用料金を割り引く方法が提案されている。これは、利用者側にて所持している携帯通信端末側の処理負荷を著しく増加させる方法となっている。
【先行技術文献】
【特許文献】
【０００４】
【特許文献１】特開２００９−２１７６２４号公報
【発明の概要】
【発明が解決しようとする課題】
【０００５】
上述した駐車場料金のサービス方法では、上記のように、必ずしも駐車場に関して適切な利用が行われているかの判断ができないため、適切な利用を行いたい利用者（例えば、その建物内で買い物をする予定の利用者）が駐車場を利用できないという問題が発生している。
【０００６】
また、上述した駐車場料金のサービス方法では、特許文献１に記載の方法の場合、建物の利用者の携帯通信端末にてプログラムを起動した上で、位置判定を行い、利用料金を算出するという方法であり、基本的には携帯通信端末側の処理負荷の増加を含む利用者側の負担増を強いる方法となっている。
【０００７】
そこで、本発明の目的は上記の問題点を解消し、適切な利用を行いたい利用者の駐車場の利用を可能とし、その利用者への負担を最小限にすることができる駐車場管理システム、管理装置及びそれらに用いるサービス方法並びにそのプログラムを提供することにある。
【課題を解決するための手段】
【０００８】
本発明による駐車場管理システムは、利用者向けの駐車場がある建物に配設された基地局と、
利用者の所持する携帯通信端末が前記基地局の基地局エリア内かどうかを判定する判定手段と、前記判定手段による前記基地局エリア内に位置していると判定された時間に応じて前記駐車場の利用料金を算出する算出手段とを含む管理装置とを備えている。
【０００９】
本発明による管理装置は、利用者向けの駐車場がある建物に基地局を配設して当該建物内を基地局エリア内とし、
利用者の所持する携帯通信端末が前記基地局エリア内かどうかを判定する判定手段と、前記判定手段による前記基地局エリア内に位置していると判定された時間に応じて前記駐車場の利用料金を算出する算出手段とを備えている。
【００１０】
本発明によるサービス方法は、利用者向けの駐車場がある建物に基地局を配設して当該建物内を基地局エリア内とし、
管理装置が、利用者の所持する携帯通信端末が前記基地局エリア内かどうかを判定する判定処理と、前記判定処理による前記基地局エリア内に位置していると判定された時間に応じて前記駐車場の利用料金を算出する算出処理とを実行している。
【００１１】
本発明によるプログラムは、管理装置内の中央処理装置に実行させるプログラムであって、
利用者向けの駐車場がある建物に基地局を配設して当該建物内を基地局エリア内とし、
利用者の所持する携帯通信端末が前記基地局エリア内かどうかを判定する判定処理と、前記判定処理による前記基地局エリア内に位置していると判定された時間に応じて前記駐車場の利用料金を算出する算出処理とを含むことを特徴とする。
【発明の効果】
【００１２】
本発明は、上記のような構成及び動作とすることで、適切な利用を行いたい利用者の駐車場の利用を可能とし、その利用者への負担を最小限にすることができるという効果が得られる。
【図面の簡単な説明】
【００１３】
【図１】本発明による管理装置の構成例を示すブロック図である。
【図２】本発明の実施の形態による駐車場管理システムの構成例を示すブロック図である。
【図３】本発明の実施の形態による管理装置の処理動作を示すフローチャートである。
【図４】本発明の実施の形態による管理装置の処理動作を示すフローチャートである。
【発明を実施するための形態】
【００１４】
次に、本発明の実施の形態について図面を参照して説明する。まず、本発明による駐車場管理システムの概要について説明する。本発明は、利用者向けの駐車場がある建物における駐車場管理及びサービス方法に関する。
【００１５】
本発明による駐車場管理システムは、利用者向けの駐車場がある建物において、建物に基地局を配設して当該建物内を基地局エリア内とし、駐車場利用時間内に利用者が所持する携帯通信端末が基地局エリア内に位置していたかを判定し、基地局エリア内に位置していたものと判定された時間に応じて駐車場利用料金をサービスするものである。
【００１６】
図１は本発明による管理装置の構成例を示すブロック図である。この図１を参照して、本発明による駐車場管理システムに用いる管理装置について説明する。本発明は、利用者向けの駐車場がある建物において、建物に基地局（図示せず）を配設して当該建物内を基地局エリア内としている。
【００１７】
管理装置１のＣＰＵ（中央処理装置）１１内の基地局エリア内判定部１１１は、通信部１３を介して基地局に問い合わせ、駐車場利用時間内に利用者が所持する携帯通信端末（図示せず）が基地局エリア内に位置していたかを判定する。
【００１８】
管理装置１の駐車場料金算出部１１２は、基地局エリア内判定部１１１にて基地局エリア内に位置していたものと判定された時間に応じて駐車場利用料金をサービスするようにして駐車場料金を算出する。
【００１９】
ここで、上記の基地局エリア内判定部１１１及び駐車場料金算出部１１２の処理は、ＣＰＵ１１がメモリ１２に格納しているプログラムを実行することで実現される。
【００２０】
これによって、本発明による駐車場管理システムでは、利用者向けの駐車場がある建物における駐車場管理及びサービス方法の処理の主幹を管理装置１に移すことによって、その建物を利用しない利用者の駐車場料金に対してサービス料金を適用しないようにすることができるため、例えば、駐車料金を高めに設定して建物を利用しない利用者の駐車場の利用を抑制させることが可能となり、適切な利用を行いたい利用者が駐車場を利用するのを可能とすることができる。
【００２１】
また、本発明による駐車場管理システムでは、その建物を利用する利用者の駐車場料金に対するサービス料金の適用を管理装置１で管理するため、携帯通信端末側の処理負荷の増加を含む利用者側の負担を最小限にすることができる。
【００２２】
図２は本発明の実施の形態による駐車場管理システムの構成例を示すブロック図である。尚、図２に示す管理装置１は、図１に示す本発明による管理装置１と同様の構成となっている。
【００２３】
図２において、本実施の形態では、利用者向けの駐車場（図示せず）がある建物３において、その駐車場の利用者が利用開始時に携帯通信端末２の情報を携帯通信端末情報登録・確認手段６を経由して管理装置１のメモリ１２に登録する。管理装置１では、メモリ１２に登録した情報（携帯通信端末２の情報）を、駐車場利用終了時における利用料金精算後に削除する。
【００２４】
建物３には基地局４を配設し、基地局４のアンテナ４１にて建物３内を基地局エリア５とする。管理装置１は、メモリ１２に登録された情報を基に、一定時間毎（例えば、数分〜数十分）に携帯通信端末２が基地局エリア５内にあるかどうかを基地局４に問い合わせ、駐車場の利用者が建物３内にいるかどうかを判断する。
【００２５】
基地局４では、基地局エリア５内に携帯通信端末２が存在するかどうかを検索し、携帯通信端末２から応答があれば存在すると判断したり、あるいは携帯通信端末２からメッセージを発信し、そのメッセージを基地局４が受信した時に存在すると判断したりする方法が考えられる。
【００２６】
また、基地局４では、自身の基地局エリア内に存在する携帯通信端末を管理しているので、管理装置１からの問い合わせに対して存在するかしないかを回答することも可能である。
【００２７】
管理装置１では、携帯通信端末情報登録・確認手段６を介して入力される携帯通信端末２の情報を、メモリ１２に記憶することで登録する。
【００２８】
通信部１３は、携帯通信端末２が基地局エリア５内か否かの基地局４からの判断結果を受信する。管理装置１では、ＣＰＵ１１にて、その判断結果で基地局エリア５内と判断された時間を建物３の利用時間として累積加算し、その加算結果をメモリ１２に記録する。
【００２９】
図３及び図４は本発明の実施の形態による管理装置１の処理動作を示すフローチャートである。これら図１〜図４を参照して本発明の実施の形態による駐車場管理システムの処理について説明する。尚、図３及び図４に示す処理は、ＣＰＵ１１がメモリ１２に格納されたプログラムを実行することで実現される。
【００３０】
管理装置１は、利用者が駐車場を利用する際に、携帯情報登録・確認手段６を介して入力する携帯通信端末２の情報をメモリ１２に登録する（図３ステップＳ１）。管理装置１は、駐車場利用状態の継続中で、かつ一定時間が経過すると（図３ステップＳ２）、駐車場の利用者が持つ携帯通信端末２が基地局エリア５内に位置しているかを、基地局４に問い合わせることで確認する（図３ステップＳ３）。
【００３１】
管理装置１は、携帯通信端末２が基地局エリア５内に位置している場合、上記と同様に、ＣＰＵ１１が基地局エリア５内と判断された時間を建物３の利用時間として累積加算し、その加算結果をメモリ１２に記録する（図３ステップＳ４）。
【００３２】
管理装置１は、携帯通信端末２が基地局エリア５内に位置していない場合、ステップＳ２の処理に戻り、一定時間が経過するまで待機し、一定時間が経過するとステップＳ３以降の処理を実施する。
【００３３】
一方、利用者による駐車場の利用が終了すると、上記の駐車場利用の開始時と同様に、携帯通信端末２を携帯情報登録・確認手段６にかざすことによって、携帯通信端末２の情報を管理装置１に送信する（図４ステップＳ１１）。
【００３４】
管理装置１は、ＣＰＵ１１にて、メモリ１２に記録された利用者情報を基に駐車場利用時間を算出し（図４ステップＳ１２）、さらにメモリ１２に記録された建物３の利用時間の累積加算結果を考慮した上で駐車場利用料金を算出する（図４ステップＳ１３）。
【００３５】
管理装置１は、上記で算出された駐車場利用料金が、図示せぬ駐車料金徴収機にて精算されると（図４ステップＳ１４）、駐車場の利用を終了とする。
【００３６】
上述した本発明に関連する駐車場料金のサービス方法では、基本的に携帯通信端末側にて処理を行う方法であり、利用者側への負担を強いる提案内容である。これに対して、本実施の形態では、利用者向けの駐車場がある建物３における駐車場管理及びサービス方法の処理の主幹を管理装置１に移すことによって、その建物３を利用しない利用者の駐車場料金に対してサービス料金を適用しないようにすることができるため（例えば、駐車料金を高めに設定する等）、建物３を利用しない利用者の駐車場の利用を抑制させることが可能となり、適切な利用を行いたい利用者が駐車場を利用するのを可能とすることができる。
【００３７】
また、本実施の形態では、その建物３を利用する利用者の駐車場料金に対するサービス料金の適用を管理装置１で管理するため、携帯通信端末側の処理負荷の増加を含む利用者側の負担を最小限にすることができる。
【符号の説明】
【００３８】
１  管理装置
２  携帯通信端末
３  建物
４  基地局
５  基地局エリア
６  携帯通信端末情報登録・確認手段
１１  ＣＰＵ
１２  メモリ
１３  通信部
４１  アンテナ
１１１  基地局エリア内判定部
１１２  駐車場料金算出部
【図１】
2013246809.tif 000003
【図２】
2013246809.tif 000004
【図３】
2013246809.tif 000005
【図４】
2013246809.tif 000006